(57)【要約】【課題】魚粉の一部が植物性タンパク質で代替されながらも、トラフグに代表されるフグ類の養殖に適した配合飼料を得る。従来廃棄物として処分されているムラサキイガイを有効利用する。【解決手段】本発明のフグ類用配合飼料は、魚粉と魚粉代替原料としての植物性タンパク質含有原料とムラサキイガイ軟体部とを少なくとも配合してなり、魚粉由来タンパク質が植物性タンパク質含有原料由来の植物性タンパク質によって２０重量％超〜５３重量％代替され、ムラサキイガイ軟体部の乾燥重量を植物性タンパク質の重量の少なくとも０．７４倍とした。【選択図】なし【特許請求の範囲】
【請求項１】
魚粉と魚粉代替原料としての植物性タンパク質含有原料とムラサキイガイ軟体部とを少なくとも配合してなり、
前記魚粉由来タンパク質が前記植物性タンパク質含有原料由来の植物性タンパク質によって２０重量％超〜５３重量％代替され、
且つ前記ムラサキイガイ軟体部の乾燥重量を前記植物性タンパク質の重量の少なくとも０．７４倍としていることを特徴とするフグ類用配合飼料。
【請求項２】
魚粉と魚粉代替原料としての植物性タンパク質含有原料とムラサキイガイエキス抽出物とを少なくとも配合してなり、
前記魚粉由来タンパク質が前記植物性タンパク質含有原料由来の植物性タンパク質によって２０重量％超〜４０重量％代替され、
且つ前記ムラサキイガイエキス抽出物の重量を前記植物性タンパク質の重量の少なくとも７．４／Ａ倍（Ａは前記ムラサキイガイエキス抽出物のＢｒｉｘ値（％））としていることを特徴とするフグ類用配合飼料。
【発明の詳細な説明】
【技術分野】
【０００１】
本発明は、フグ類用配合飼料に関する。さらに詳述すると、本発明は、魚粉の一部が大豆粕等の植物性タンパク質含有原料で代替されているフグ類用配合飼料に関する。
【背景技術】
【０００２】
養魚用配合飼料のタンパク質源としては、従来、真鰯やスケトウダラといった多獲性魚類を原料とした魚粉が用いられていた。しかし、近年、多獲性魚類の漁獲量の減少と養殖業の拡大による配合飼料の需要の増加により、魚粉の供給が逼迫するとともにその価格も高騰し、魚粉のみでは養魚用配合飼料の需要がまかなえなくなってきている。そこで、魚粉の一部を安価なタンパク質源である植物性タンパク質で代替することが検討されている。
【０００３】
植物性タンパク質を含む原料としては、大豆粕やコーングルテンミール、菜種油滓等といったものが挙げられ、これらは、生産量も豊富で価格も安定していることから魚粉の代替材料として有望視されている。
【０００４】
しかし、魚粉の一部を植物性タンパク質で代替した配合飼料を使用して養殖を行うと、ある特有の問題が生じる。即ち、魚粉の一部を植物性タンパク質で代替した配合飼料は、嗜好性が低く、養殖魚の摂餌量が低下して成長低下を招く。このことは多くの魚種で明らかとなっている。したがって、配合飼料中の魚粉の一部を植物性タンパク質で代替する場合、養殖魚の成長低下を抑えるために何らかの手段を講じる必要性が生じる。
【０００５】
例えば、特許文献１では、キク科植物であるステビアの葉から抽出されるステビア抽出物を養魚用の配合飼料に添加し、養殖魚の摂餌量の低下を抑制して成長低下を抑えるようにしている。
【０００６】
【特許文献１】特開２００１−１８６８４８
【発明の開示】
【発明が解決しようとする課題】
【０００７】
しかしながら、ステビア抽出物の原料となるステビアは、人工甘味料の原料であることから、養魚用の配合飼料の原料として安定且つ安価に供給できるものではない。したがって、ステビア抽出物を原料とする配合飼料は安定且つ安価に供給できるものとは言い難い。
【０００８】
ところで、海岸の堤防や発電所の取水口、復水器などに付着した多量のムラサキイガイは、これらの設備の機能を低下させるものであることから、除去・回収する必要があり、その年間処理量は２万トン（殻付き新鮮重量）以上と大量である（火力原子力発電技術協会  環境対策技術調査委員会（２００３）：火力発電所における海洋生物対策実態調査報告書、１５８ｐｐ．）。従来、ムラサキイガイは廃棄物として埋め立てや焼却によって処分されているが、処分場の不足や悪臭の発生といった深刻な問題を抱えており、また、埋め立てや焼却自体にかかる費用や手間も多大なものとなっている。そこで、ムラサキイガイを有効利用する方法を見出してムラサキイガイに付加価値を与え、ムラサキイガイの処分上の問題を解決することが望まれている。
【０００９】
また、トラフグに代表されるフグ類は市場価値の高い所謂高級魚であり、漁獲量が不安定なことから、市場への安定供給が可能な養殖業への期待が大きい。しかしながら、上記の通り、近年、魚粉のみでは養魚用配合飼料の需要がまかなえなくなってきていることから、今後、タンパク質源を全て魚粉としている従来の配合飼料は安定且つ安価には供給できなくなる虞がある。したがって、魚粉の一部を植物性タンパク質で代替しながらも、フグ類の成長低下を抑えることのできる新たな配合飼料の開発が望まれている。
【００１０】
本発明は、かかる要望に鑑みてなされたものであって、魚粉の一部を植物性タンパク質で代替しながらも、トラフグに代表されるフグ類の成長低下を抑えることのできる新たな配合飼料を提供することを目的とする。また、本発明は、従来廃棄物として処分されているムラサキイガイを有効利用する方法を提供することを目的とする。
【課題を解決するための手段】
【００１１】
かかる課題を解決するため、本願発明者が鋭意検討したところ、植物性タンパク質の配合量に対し、ある一定量以上のムラサキイガイ軟体部あるいはムラサキイガイエキス抽出物を配合することにより、魚粉の一部を植物性タンパク質で代替しながらも、トラフグに代表されるフグ類の成長低下を抑えることのできる配合飼料が得られることを知見し、本願発明に至った。
【００１２】
かかる知見に基づく本発明のフグ類用配合飼料は、魚粉と魚粉代替原料としての植物性タンパク質含有原料とムラサキイガイ軟体部とを少なくとも配合してなり、魚粉由来タンパク質が植物性タンパク質含有原料由来の植物性タンパク質によって２０重量％超〜５３重量％代替され、且つムラサキイガイ軟体部の乾燥重量が植物性タンパク質の重量の少なくとも０．７４倍としているものである。
【００１３】
また、かかる知見に基づく本発明のフグ類用配合飼料は、魚粉と魚粉代替原料としての植物性タンパク質含有原料とムラサキイガイエキス抽出物とを少なくとも配合してなり、
魚粉由来タンパク質が植物性タンパク質含有原料由来の植物性タンパク質によって２０重量％超〜４０重量％代替され、且つムラサキイガイエキス抽出物の重量を植物性タンパク質の重量の少なくとも７．４／Ａ倍（Ａはムラサキイガイエキス抽出物のＢｒｉｘ値（％））としているものである。
【００１４】
このように、植物性タンパク質に対し一定量以上のムラサキイガイ軟体部あるいはムラサキイガイエキス抽出物を配合することによって、フグ類の成長低下を抑えることができ、タンパク質源を全て魚粉としている従来の配合飼料と同等の成長状態をフグ類に付与することができる。
【発明の効果】
【００１５】
本発明のフグ類用配合飼料によれば、タンパク質源を全て魚粉としている従来の配合飼料と同等の成長状態をフグ類に付与することが可能となる。
【００１６】
また、本発明のフグ類用配合飼料によれば、魚粉の一部が植物性タンパク質含有原料で代替されているので、魚粉の使用量を抑えることができ、近年における魚粉価格の高騰並びに魚粉供給の逼迫の問題に対応することが可能となる。したがって、安定且つ安価に配合飼料を供給することが可能となる。
【００１７】
さらに、本発明のフグ類用配合飼料によれば、従来廃棄物とされていたムラサキイガイを有効利用することが可能となり、ムラサキイガイの処分上の問題の解決に寄与することができる。しかも、従来廃棄物とされていたムラサキイガイを原料としていることから、配合飼料にかかる原料費を抑えることができる。また、上記の通り、ムラサキイガイの年間処理量は２万トン（殻付き新鮮重量）と大量であることから、原料を長期に亘って安定供給することもできる。したがって、安定且つ安価に配合飼料を供給することが可能となる。
【発明を実施するための最良の形態】
【００１８】
以下、本発明を実施するための最良の形態について説明する。
【００１９】
本発明のフグ類用配合飼料は、魚粉と魚粉代替原料としての植物性タンパク質含有原料とムラサキイガイとを少なくとも配合してなるものである。そして、ムラサキイガイは軟体部あるいはエキス抽出物の形態で配合される。
【００２０】
本発明のフグ類配合飼料において、ムラサキイガイ軟体部を配合する場合、魚粉由来タンパク質が植物性タンパク質含有原料由来の植物性タンパク質によって２０重量％超〜５３重量％代替され、且つムラサキイガイ軟体部の乾燥重量を植物性タンパク質の重量の少なくとも０．７４倍としている。
【００２１】
また、本発明のフグ類配合飼料において、ムラサキイガイエキス抽出物を配合する場合、魚粉由来タンパク質が植物性タンパク質含有原料由来の植物性タンパク質によって２０重量％超〜５３重量％代替され、且つムラサキイガイエキス抽出物の重量を植物性タンパク質の重量の少なくとも７．４／Ａ倍（Ａはムラサキイガイエキス抽出物のＢｒｉｘ値（％））としている。
【００２２】
つまり、本発明のフグ類配合飼料によれば、魚粉を一定量の植物性タンパク質含有原料により代替することによって、魚粉由来のタンパク質の一部を植物性タンパク質で代替している。したがって、魚粉の使用量を抑えることができる。
【００２３】
そして、本発明のフグ類配合飼料によれば、ムラサキイガイを植物性タンパク質に対して一定量以上配合することによって、魚粉の一部を植物性タンパク質で代替した配合飼料を用いた場合に特有の問題であるフグ類の成長低下を抑制する効果が得られる。したがって、タンパク質源を全て魚粉としている従来の配合飼料と同等の成長状態をフグ類に付与することが可能となる。
【００２４】
以下、本発明のフグ類配合飼料の配合成分及び配合割合に関し、詳細に説明する。
【００２５】
本発明の配合飼料に使用される魚粉としては、従来の配合飼料において一般的に使用されている魚粉、例えば、スケトウダラ等を主原料とした北洋魚粉や真鰯等を主原料とした沿岸魚粉等を用いることができるが、これらに限定されるものではない。
【００２６】
本発明の配合飼料に使用される植物性タンパク質含有原料としては、例えば、脱皮大豆粕、コーングルテンミール、菜種油滓、綿実粕、ヒマワリ粕といった植物油滓系原料が挙げられる。これらは、生産量も豊富で価格も安定しており、配合飼料に使用するのに好適であるが、植物性タンパク質含有原料はこれらに限定されるものではない。
【００２７】
本発明の配合飼料に使用されるムラサキイガイ軟体部は、ムラサキイガイ軟体部を粉砕したものとしてもよいが、加工性等の観点からは、乾燥粉末を用いることが好適である。
【００２８】
本発明の配合飼料に使用されるムラサキイガイエキス抽出物は、ムラサキイガイエキスが溶け込んだ水であり、例えば、殻付きムラサキイガイあるいはムラサキイガイ可食部を一定期間水に浸けることによって、あるいは熱水でエキスを煮出すことによって得ることができる。また、加工性等の観点から、ムラサキイガイエキス抽出物は濃縮してから使用することが好適であり、例えば、Ｂｒｉｘ値を２０％以上とすることが好適である。
【００２９】
本発明の配合飼料において、ムラサキイガイ軟体部を配合する場合、ムラサキイガイ軟体部の乾燥重量を植物性タンパク質の重量の少なくとも０．７４倍とすることが好ましい。０．７４倍未満とすると、フグ類の成長低下を招く虞がある。ここで、フグ類の成長低下をより確実に抑えるためには、ムラサキイガイ軟体部の配合量を高めることが好ましいが、高めすぎてもフグ類の成長低下を抑える効果が飽和してしまい、無駄となる。本発明者の実験によると、ムラサキイガイ軟体部の乾燥重量を植物性タンパク質の重量の２．２倍とすれば、フグ類の成長低下を抑制する効果が十分に発揮された。したがって、植物性タンパク質の重量に対するムラサキイガイ軟体部の乾燥重量は、少なくとも０．７４倍とすることが好ましく、０．７４〜２．２倍とすることがより好ましく、１．５〜２．２倍とすることがさらに好ましく、２．２倍とすることが特に好ましい。
【００３０】
植物性タンパク質の重量に対するムラサキイガイ軟体部の乾燥重量を上記範囲とすることで、魚粉由来タンパク質を植物性タンパク質含有物質由来の植物性タンパク質によって最大で５３重量％代替することができる。
【００３１】
ここで、魚粉由来タンパク質を植物性タンパク質含有原料由来の植物性タンパク質によって５３重量％を超える割合で代替すると、ムラサキイガイ軟体部を配合してもフグ類の成長低下を抑えられなく虞がある。尚、植物性タンパク質含有原料由来の植物性タンパク質による魚粉由来タンパク質の代替量が２０重量％以下の場合には、ムラサキイガイ軟体部を配合せずとも、フグ類の成長は有意には低下しない。したがって、魚粉の使用量を抑える観点からも、植物性タンパク質含有原料由来の植物性タンパク質による魚粉由来タンパク質の代替量は２０重量％超〜５３重量％とすることが好ましい。
【００３２】
また、フグ類の成長低下の抑制をより確実なものとするためには、植物性タンパク質含有原料由来の植物性タンパク質による魚粉由来タンパク質の代替量は２０重量％超〜３３重量％とすることが好ましく、２０重量％超〜２５重量％とすることがより好ましい。
【００３３】
本発明の配合飼料において、ムラサキイガイエキス抽出物を配合する場合、ムラサキイガイエキス抽出物の重量を植物性タンパク質の重量の少なくとも７．４／Ａ倍（Ａはムラサキイガイエキス抽出物のＢｒｉｘ値（％））とすることが好ましい。７．４／Ａ倍未満とすると、フグ類の成長低下を招く虞がある。ここで、フグ類の成長低下をより確実に抑えるためには、ムラサキイガイエキス抽出物の配合量を高めることが好ましいが、高めすぎてもフグ類の成長低下を抑える効果が飽和してしまい、無駄となる。本発明者の実験によると、ムラサキイガイエキス抽出物の重量を植物性タンパク質の重量の１５／Ａ倍とすれば、フグ類の成長低下を抑制する効果が十分に発揮され、２２／Ａ倍とすると、その効果が飽和することが確認された。したがって、植物性タンパク質の重量に対するムラサキイガイエキス抽出物の重量は、少なくとも７．４／Ａ倍とすればよいが、７．４／Ａ〜２２／Ａ倍未満とすることが好ましく、７．４／Ａ〜１５／Ａ倍とすることがより好ましく、１１／Ａ〜１５／Ａとすることがさらに好ましく、１５／Ａ倍とすることが特に好ましい。例えば、ムラサキイガイエキス抽出物のＢｒｉｘ値が２０％（Ａ＝２０）の場合、植物性タンパク質の重量に対するムラサキイガイエキス抽出物の重量は、少なくとも０．３７倍とすればよいが、０．３７〜１．１倍未満とすることが好ましく、０．３７〜０．７４倍とすることがより好ましく、０．５６〜０．７４倍とすることがさらに好ましく、０．７４倍とすることが特に好ましい。
【００３４】
植物性タンパク質の重量に対するムラサキイガイエキス抽出物の重量を上記範囲とすることで、魚粉由来タンパク質を植物性タンパク質含有物質由来の植物性タンパク質によって最大で４０重量％代替することができる。
【００３５】
ここで、魚粉由来タンパク質を植物性タンパク質含有原料由来の植物性タンパク質によって４０重量％を超える割合で代替すると、ムラサキイガイエキス抽出物を配合してもフグ類の成長低下を抑えられなく虞がある。尚、植物性タンパク質含有原料由来の植物性タンパク質による魚粉由来タンパク質の代替量が２０重量％以下の場合には、ムラサキイガイエキス抽出物を配合せずとも、フグ類の成長は有意には低下しない。したがって、魚粉の使用量を抑える観点からも、植物性タンパク質含有原料由来の植物性タンパク質による魚粉由来タンパク質の代替量は２０重量％超〜４０重量％とすることが好ましい。
【００３６】
また、フグ類の成長低下の抑制をより確実なものとするためには、植物性タンパク質含有原料由来の植物性タンパク質による魚粉由来タンパク質の代替量は２０重量％超〜３０重量％とすることが好ましい。
【００３７】
本発明の配合飼料において、配合飼料中のタンパク質含有量は、従来のフグ類用配合飼料と同程度、例えば４０〜５０重量％とすればよいが、この範囲に限定されるものではない。
【００３８】
ここで、本発明の配合飼料において、特にムラサキイガイ軟体部を配合する場合には、ムラサキイガイ軟体部に含まれるタンパク質を配合飼料中のタンパク質源として利用することができる。したがって、配合飼料中のタンパク質含量をムラサキイガイ軟体部を配合することによって高めることができ、これにより、配合飼料中の魚粉の配合量をさらに低減して、魚粉の使用量をさらに抑えることができる。
【００３９】
配合飼料に添加されるその他の成分としては特に限定されるものではなく、従来の配合飼料とほぼ同様の成分を配合することができる。例示すると、馬鈴薯デンプン、フィードオイル、無機化合物、ビタミン化合物、α化馬鈴薯デンプン、デキストリン等が挙げられるがこれらに限定されるものではない。
【００４０】
ここで、本発明の配合飼料における魚粉と植物性タンパク質とムラサキイガイ軟体部の配合量について、植物性タンパク質源として脱皮大豆粕を用いた場合の具体例を挙げると、魚粉２８．５重量％〜５７重量％未満、脱皮大豆粕１８重量％超〜４０重量％（植物性タンパク質９重量％超〜２０重量％）、ムラサキイガイ軟体部（乾燥重量）１０重量％〜３０重量％で、且つ脱皮大豆粕の重量に対するムラサキイガイ軟体部の乾燥重量を少なくとも０．３７倍（植物性タンパク質の重量に対するムラサキイガイ軟体部の乾燥重量を少なくとも０．７４倍）とし、配合飼料中のタンパク質量が４０〜５０重量％である。
【００４１】
また、本発明の配合飼料における魚粉と植物性タンパク質とムラサキイガイエキス抽出物の配合量について、植物性タンパク質源として脱皮大豆粕を用い、ムラサキイガイエキス抽出物のＢｒｉｘ値を２０％とした場合の具体例を挙げると、魚粉４３重量％〜５７重量％未満、脱皮大豆粕１８重量％超〜３６重量％（植物性タンパク質９重量％超〜１８重量％）、ムラサキイガイエキス抽出物５重量％〜２０重量％で、且つ脱皮大豆粕の重量に対するムラサキイガイエキス抽出物の重量が少なくとも０．１８倍（植物性タンパク質の重量に対するムラサキイガイエキス抽出物の重量が少なくとも０．３７倍）である。但し、ムラサキイガイエキス抽出物の配合量（重量％）は、魚粉と脱皮大豆粕とその他の成分（馬鈴薯デンプン、フィードオイル、無機化合物、ビタミン化合物、α化馬鈴薯デンプン、デキストリン）の合計量を１００重量％としたときの値である。配合飼料中のタンパク質量は４０〜５０重量％である。
【００４２】
本発明の配合飼料の製造法は特に限定されるものでなく、ミートチョッパー、エクストルダーなどを用い、常法により行うことができる。また、配合飼料の形状はペレット状やクランブル状として、フグ類が摂餌しやすい大きさとすればよい。
【００４３】
本発明の配合飼料は、トラフグ、マフグ、ショウサイフグ、ヒガンフグ、クサフグ、サバフグ等のフグ類全般の養殖において使用することができ、特にトラフグに適した配合飼料である。
【００４４】
上述の形態は本発明の好適な形態の一例ではあるがこれに限定されるものではなく本発明の要旨を逸脱しない範囲において種々変形実施可能である。
【実施例】
【００４５】
以下に本発明の実施例を説明するが、本発明はこれら実施例に限られるものではない。
【００４６】
（実施例１）
魚粉と植物性タンパク質含有原料とムラサキイガイ軟体部とを原料とした各種配合飼料をトラフグに与え、その成長状態について観察した。
【００４７】
（１−１  配合飼料の組成）
実験に使用した配合飼料の組成を表１に示す。
【００４８】
【表１】
2009232709.tif 000002
【００４９】
本実施例では、植物性タンパク質含有原料として脱皮大豆粕を使用した。また、ムラサキイガイ軟体部は、生鮮ムラサキイガイから殻を取り除いた後、洗浄することなしに凍結乾燥、粉砕して乾燥粉末としてから使用した。魚粉（トロールミル）と脱皮大豆粕とムラサキイガイ軟体部以外の配合成分は、馬鈴薯デンプン、フィードオイル（理研ビタミン製）、無機混合物（日本配合飼料株式会社製）、ビタミン混合物（日本配合飼料株式会社製）、α化馬鈴薯デンプン及びデキストリンを用いた。飼料の作製はフィードオイルを除く各原料を粉砕し、十分に混合した後、ミートチョッパーを用い成形した。作製した飼料は乾燥後、所定の量のフィードオイルを浸透させ、再度乾燥した。
【００５０】
表１における飼料区１の飼料は、魚粉を単独のタンパク質源とし、ムラサキイガイ軟体部を含まない対照区の飼料である。
【００５１】
また、表１における飼料区２，３及び６の飼料は、魚粉由来タンパク質の一部が脱皮大豆粕由来タンパク質で代替され、ムラサキイガイ軟体部を含まない飼料である。飼料区２は魚粉由来タンパク質の２０重量％を脱皮大豆粕由来タンパク質で代替し、飼料区３は魚粉由来タンパク質の４０重量％を脱皮大豆粕由来タンパク質で代替し、飼料区６は魚粉由来タンパク質の６０重量％を脱皮大豆粕由来タンパク質で代替した。
【００５２】
さらに、表１における飼料区４，５，７及び８は、ムラサキイガイ軟体部を含む実験区の飼料であり、脱皮大豆粕由来タンパク質重量に対するムラサキイガイ軟体部乾燥重量は、それぞれ、０．７４倍，２．２倍，０．７５倍，２．２倍とした。また、飼料区４の飼料は魚粉由来タンパク質の３３重量％を脱皮大豆粕由来タンパク質で代替し、飼料区５の飼料は魚粉由来タンパク質の２５重量％を脱皮大豆粕由来タンパク質で代替し、飼料区７の飼料は魚粉由来タンパク質の５３重量％を脱皮大豆粕由来タンパク質で代替し、飼料区８の飼料は魚粉由来タンパク質の４３重量％を脱皮大豆粕由来タンパク質で代替した。
【００５３】
（１−２  飼育実験）
実験には総水量約２０００リットルの天然海水を収容した循環濾過水槽を用い、水温は２０℃に調節した。飼育水槽内に浮かべた容量約３５リットルの網生けすに、１５尾／生けす、３連／飼料区でトラフグを収容し、所定の飼料を１日２回、各飽食量を週６日で与えて８週間給餌した。
【００５４】
（１−３  実験結果）
飼育実験の結果を表２に示す。尚、実験結果は、３連の実験結果の平均と標準偏差で示した。
【００５５】
【表２】
2009232709.tif 000003
【００５６】
「増重率」は、以下に示す数式１により計算した。
（数式１）  増重率（％）＝  （増重量）／（実験開始時体重）×  １００
【００５７】
「比成長率」は、以下に示す数式２により計算した。
（数式２）  比成長率  ＝  （ｌｎＷｔ−ｌｎＷ０）／５６  ×  １００
ここで、Ｗｔは実験終了時体重であり、Ｗ０は実験開始時体重である。また、数式２中の「５６」という数字は、実験期間を日数で表した値である。
【００５８】
「飼料効率」は、以下に示す数式３により計算した。
（数式３）  飼料効率（％）＝（増重量）／（摂餌量）×  １００
【００５９】
「タンパク質効率」は、以下に示す数式４により計算した。
（数式４）  タンパク質効率 ＝（増重量）／（タンパク質摂取量）
【００６０】
「日間摂取率」は、以下に示す数式５により計算した。
（数式５）  日間摂取率（％）＝  {（Ｗｔ−Ｗ０）／２×給餌日数}×  １００
【００６１】
「生残率」は、以下に示す数式６により計算した。
（数式６）  生残率（％）＝（実験終了後生残数）／（実験開始時個体数）×  １００
【００６２】
また、表２に示す値の右上に示す記号（アルファベット）は、Ｔｕｋｅｙの多重比較（ｐ＜０．０５）により対照区である配合飼料１の実験結果との有意差についての判定結果を示すものである。同列で同じ記号の場合には、実験結果が統計学的に同一と判断される（例えば、記号ａが付された実験結果どうしは統計学的に同一の実験結果であると判断される。）。また、同列で同じ記号を有する場合には、実験結果に統計学的な有意差が無いと判断される（例えば、記号ａが付された実験結果と記号ａｂが付された実験結果とは統計学的に有意差が無いと判断される）。
【００６３】
表２に示される結果から、増重率、比成長率、飼料効率、タンパク質効率及び日間摂餌率について、飼料区５の実験結果は飼料区１の実験結果と統計学的に同一であると判断され、飼料区２，４，７，８の実験結果は飼料区１の実験結果と統計学的に同一ではないが有意差は無いと判断された。一方、飼料区３及び６の実験結果は飼料区１の実験結果と統計学的に有意差があると判断された。
【００６４】
これらの実験結果から、以下の結論が導かれた。
【００６５】
ムラサキイガイ軟体部を配合していない飼料区２の実験結果は、飼料区１の実験結果と統計学的に同一ではなかったものの、有意差無しと判断される程度の差であったことから、脱皮大豆粕由来の植物性タンパク質による魚粉由来タンパク質の代替量が２０重量％以下の場合には、ムラサキイガイ軟体部を配合せずとも、トラフグの成長を大幅に低下させることは無いことが明らかとなった。これに対し、ムラサキイガイ軟体部を配合していない飼料区３及び６の実験結果は、飼料区１の実験結果と統計学的に有意差があったことから、脱皮大豆粕由来の植物性タンパク質による魚粉由来タンパク質の代替量が４０重量％以上の場合には、ムラサキイガイ軟体部を配合しないと、確実にトラフグの成長低下を引き起こすことが明らかとなった。また、後述するように、実施例２において、脱皮大豆粕由来の植物性タンパク質による魚粉由来タンパク質の代替量が３０重量％以上の場合には、ムラサキイガイ軟体部を配合しないと、確実にトラフグの成長低下を引き起こすことが明らかとなった。したがって、脱皮大豆粕由来の植物性タンパク質による魚粉由来タンパク質の代替量が２０重量％を超えるとトラフグの成長低下を招く虞があり、３０重量％以上になると確実にトラフグの成長低下を招くことが分かった。このことから、脱皮大豆粕由来の植物性タンパク質による魚粉由来タンパク質の代替量を２０重量％超とする場合には、トラフグの成長低下を抑えるためにムラサキイガイ軟体部を配合する必要があることがわかった。
【００６６】
次に、飼料区４，７及び８の実験結果は、飼料区１の実験結果と統計学的に同一ではなかったものの、有意差無しと判断される程度の差であったことから、脱皮大豆粕由来の植物性タンパク質による魚粉由来タンパク質の代替量を５３重量％以下とし、且つムラサキイガイ軟体部の乾燥重量を植物性タンパク質の重量の少なくとも０．７４倍とすることで、トラフグの成長低下がほとんど起こらないことが明らかとなった。
【００６７】
ここで、飼料区５の実験結果は、飼料区１の実験結果と統計学的に同一であったことから、飼料区５の配合条件に近づけることによって、より確実にトラフグの成長低下を抑えることができることが明らかとなった。つまり、トラフグの成長低下をより確実に抑える上では、脱皮大豆粕由来の植物性タンパク質による魚粉由来タンパク質の代替量を３３重量％以下とすることが好ましく、２５重量％以下とすることがより好ましいことがわかった。また、トラフグの成長低下をより確実に抑える上では、ムラサキイガイ軟体部の植物性タンパク質に対する配合量を高めることが有効であることが明らかとなった。
【００６８】
しかしながら、ムラサキイガイ軟体部の植物性タンパク質に対する配合量を高めすぎてもトラフグの成長低下を抑える効果が飽和してしまい、無駄となると考えられる。したがって、植物性タンパク質の重量に対するムラサキイガイ軟体部の乾燥重量は、少なくとも０．７４倍とすればよいが、０．７４〜２．２倍とすることが好ましく、１．５〜２．２倍とすることがより好ましく、２．２倍とすることが特に好ましいと考えられる。
【００６９】
以上より、脱皮大豆粕由来の植物性タンパク質による魚粉由来タンパク質の代替量は、２０重量％超〜５３重量％とすることが好ましく、２０重量％超〜３３重量％とすることがより好ましく、２０重量％超〜２５重量％とすることがさらに好ましいと考えられる。
【００７０】
そして、植物性タンパク質の重量に対するムラサキイガイ軟体部の乾燥重量は、少なくとも０．７４倍とすればよいが、０．７４〜２．２倍とすることが好ましく、１．５〜２．２倍とすることがより好ましく、２．２倍とすることが特に好ましいと考えられる。
【００７１】
また、飼料効率及びタンパク質効率について、飼料区５の実験結果は飼料区１の実験結果と統計学的に同一であると判断され、飼料区２，４，７，８の実験結果は飼料区１の実験結果と統計学的に同一ではないが有意差は無いと判断され、飼料区３及び６の実験結果は飼料区１の実験結果と統計学的に有意差があると判断されたことから、魚粉の一部を植物性タンパク質で代替することで生じる栄養性の低下が、ムラサキイガイ軟体部を配合することで抑えられることが明らかとなった。即ち、ムラサキイガイ軟体部を配合することによって、配合飼料の栄養性も改善されることが明らかとなった。したがって、ムラサキイガイ軟体部を配合した本発明の配合飼料によれば、タンパク質源を全て魚粉としている従来の配合飼料と同じ量で、ほぼ同等の栄養をトラフグに与えることができることが明らかとなった
【００７２】
次に、トラフグの血液成分を検査し、本発明の配合飼料がトラフグの健康状態に与える影響について調べた結果を表３及び表４に示す。表３は、血液のヘモグロビン含有量、ヘマトクリット値、総赤血球数、タンパク質含有量、トリグリセリド含有量及びグルコース含有量を調べた結果であり、表４は、血液の無機リン含有量、カルシウム含有量、マグネシウム含有量、塩素含有量及びカリウム含有量を調べた結果である。尚、実験結果は、網生けすあたり７〜８尾（体重２５．３〜６３．６ｇ）から血液を採取して網生けす毎にプールして検査し、その平均と標準偏差で示した。
【００７３】
【表３】
2009232709.tif 000004
【００７４】
【表４】
2009232709.tif 000005
【００７５】
表３及び表４に示される結果から、飼料区１〜８において、実験結果に有意差は殆ど見られないことが明らかとなった。このことから、本発明の配合飼料である飼料区４，５，７，８の配合飼料よって、トラフグの健康状態に悪影響が及ぼされないことが明らかとなった。
【００７６】
以上の実験結果から、本発明の配合飼料のトラフグに対する有効性が明らかとなった。また、トラフグ以外のフグ類について、本発明の配合飼料が有効でないとの積極的な理由が存在しないことから、フグ類全般について、本発明の配合飼料が有効であるものと推定される。
【００７７】
（実施例２）
魚粉と植物性タンパク質含有原料とムラサキイガイエキス抽出物とを原料とした各種配合飼料をトラフグに与え、その成長状態について観察した。
【００７８】
（２−１  配合飼料の組成）
実験に使用した配合飼料の組成を表５に示す。
【００７９】
【表５】
2009232709.tif 000006
【００８０】
本実施例においても、実施例１と同様、植物性タンパク質含有原料として脱皮大豆粕を使用した。また、ムラサキイガイエキス抽出物は以下の手順で得た。
１）ムラサキイガイ剥き身冷凍ブロックをフローズンカッターで粉砕。
２）粉砕物に対し４倍量（重量）の水を添加。
３）５０℃で３０分加熱した後、さらに９０℃で３０分加熱してエキスを熱水抽出。
４）抽出液を濾過分離して得られた濾液をＢｒｉｘ値が２０％になるまで濃縮。
【００８１】
魚粉と脱皮大豆粕とムラサキイガイエキス抽出物以外の配合成分は、馬鈴薯デンプン、（理研ビタミン製）、無機混合物（日本配合飼料株式会社製）、ビタミン混合物（日本配合飼料株式会社製）、α化馬鈴薯デンプン及びデキストリンを用いた。飼料の作製はフィードオイルを除く各原料を粉砕し、十分に混合した後、ミートチョッパーを用い成形した。作製した飼料は乾燥後、所定の量のフィードオイルを浸透させ、再度乾燥した。
【００８２】
表５における飼料区１の飼料は、魚粉（トロールミル）を単独のタンパク質源とし、ムラサキイガイエキス抽出物を含まない対照区の飼料である。
【００８３】
また、表４における飼料区２の飼料は、魚粉由来タンパク質の一部が脱皮大豆粕由来タンパク質で代替され、ムラサキイガイエキス抽出物を含まない飼料であり、魚粉由来タンパク質の３０重量％が脱皮大豆粕由来タンパク質で代替されている。
【００８４】
さらに、表４における飼料区３，４，５，６及び７の飼料は、ムラサキイガイエキス抽出物を含む実験区の飼料であり、脱皮大豆粕由来タンパク質重量に対するムラサキイガイエキス抽出物（Ｂｒｉｘ値２０％）の重量は、それぞれ、０．３７倍，０．７４倍，０．２８倍，０．５６倍，１．１倍とした。
【００８５】
（２−２  飼育実験）
１２尾／生けすとしたことと、飼育期間を７週間としたこと以外は、実施例１と同様とした。
【００８６】
（２−３  実験結果）
飼育実験の結果を表６に示す。尚、実験結果は、３連の実験結果の平均と標準偏差で示した。
【００８７】
【表６】
2009232709.tif 000007
【００８８】
表６に示される結果から、増重率及び比成長率について、飼料区３，４，６，７の実験結果は飼料区１の実験結果と統計学的な有意差が無いと判断された。一方、飼料区２及び５の実験結果は飼料区１の実験結果と統計学的に有意差があると判断された。
【００８９】
これらの実験結果から、以下の結論が導かれた。
【００９０】
ムラサキイガイエキス抽出物を配合していない飼料区２の実験結果は、飼料区１の実験結果と統計学的に有意差があると判断されたことから、脱皮大豆粕由来の植物性タンパク質による魚粉由来タンパク質の代替量が３０重量％の場合には、ムラサキイガイエキス抽出物を配合しないと、確実にトラフグの成長低下を引き起こすことが明らかとなった。また、上述したように、脱皮大豆粕由来の植物性タンパク質による魚粉由来タンパク質の代替量が２０重量％を超えるとトラフグの成長低下を招く虞がある。したがって、脱皮大豆粕由来の植物性タンパク質による魚粉由来タンパク質の代替量が２０重量％を超えるとトラフグの成長低下を招く虞があり、３０重量％以上になると確実にトラフグの成長低下を招くことが分かった。このことから、脱皮大豆粕由来の植物性タンパク質による魚粉由来タンパク質の代替量を２０重量％超とする場合には、トラフグの成長低下を抑えるためにムラサキイガイエキス抽出物を配合する必要があることがわかった。
【００９１】
ここで、ムラサキイガイエキス抽出物を配合した飼料区５の実験結果もまた、飼料区１の実験結果と比較して統計学的に有意差があると判断されたことから、ムラサキイガイエキス抽出物（Ｂｒｉｘ値２０％）の重量が植物性タンパク質重量の０．２８倍以下の場合には、ムラサキイガイエキス抽出物を配合したとしても、トラフグの成長低下を招く虞があることが明らかとなった。
【００９２】
これに対し、飼料区３，４，６及び７において、飼料区１の実験結果と統計学的に同一ではなかったものの、有意差無しと判断される程度の差であったことから、脱皮大豆粕由来の植物性タンパク質による魚粉由来タンパク質の代替量を４０重量％以下とし、且つ且つムラサキイガイ軟体部の乾燥重量を植物性タンパク質の重量の少なくとも０．３７倍とすることで、トラフグの成長低下がほとんど起こらないことが明らかとなった。
【００９３】
ここで、飼料区４の実験結果は、飼料区１の実験結果と統計学的に同一とは言えないものの、飼料区１の実験結果と最も近い値であったことから、飼料区４の配合条件に近づけることによって、より確実にトラフグの成長低下を抑えることができることが明らかとなった。つまり、トラフグの成長低下をより確実に抑える上では、脱皮大豆粕由来の植物性タンパク質による魚粉由来タンパク質の代替量を３０重量％以下とすることが好ましいことがわかった。また、トラフグの成長低下をより確実に抑える上では、ムラサキイガイエキス抽出物の植物性タンパク質に対する配合量を高めることが有効であることが明らかとなった。
【００９４】
しかしながら、ムラサキイガイエキス抽出物の植物性タンパク質に対する配合量を高めすぎてもトラフグの成長低下を抑える効果が飽和してしまい、無駄となる。実際、本実施例では飼料区４の実験結果において最も優れた成長低下抑制効果が得られ、飼料区７の実験結果では、その効果が飽和してしまうことが確認された。したがって、植物性タンパク質の重量に対するムラサキイガイエキス抽出物の重量は、少なくとも０．３７倍とすればよいが、０．３７〜１．１倍未満とすることが好ましく、０．３７〜０．７４倍とすることがより好ましく、０．５６〜０．７４倍とすることがさらに好ましく、０．７４倍とすることが特に好ましいと考えられる。
【００９５】
以上より、脱皮大豆粕由来の植物性タンパク質による魚粉由来タンパク質の代替量は、２０重量％超〜４０重量％とすることが好ましく、２０重量％超〜３０重量％とすることがより好ましいと考えられる。
【００９６】
そして、植物性タンパク質の重量に対するムラサキイガイエキス抽出物の重量は、少なくとも０．３７倍とすればよいが、０．３７〜１．１倍未満とすることが好ましく、０．３７〜０．７４倍とすることがより好ましく、０．５６〜０．７４倍とすることがさらに好ましく、０．７４倍とすることが特に好ましいと考えられる。
【００９７】
ここで、本実施例で使用したムラサキイガイエキス抽出物は、Ｂｒｉｘ値が２０％のものであるが、Ｂｒｉｘ値が２０％以外のエキス抽出物を用いることもできる。その場合、エキス抽出物に含まれるエキス成分に着目して以下のように換算することで、ムラサキイガイエキス抽出物の最適な重量を求めることができる。
【００９８】
即ち、Ｂｒｉｘ値２０％の場合のエキス抽出物の重量をＸ（ｇ）とすると、エキス抽出物に含まれるエキス成分の重量は、２０Ｘ／１００（ｇ）となる。次に、Ｂｒｉｘ値Ａ％の場合のエキス抽出物の重量をＹ（ｇ）とすると、エキス抽出物に含まれるエキス成分の重量は、ＡＹ／１００（ｇ）となる。ここで、Ｂｒｉｘ値２０％の場合もＢｒｉｘ値Ａ％の場合も、配合飼料に配合すべきエキス成分の重量は同量であるから、以下の式（１）が成立する。
２０Ｘ／１００＝ＡＹ／１００・・・・・・（１）
この式をＢｒｉｘ値Ａ％の場合のエキス抽出物の重量Ｙについて解くと、以下の式が得られる。
Ｙ＝２０Ｘ／Ａ・・・・・・（２）
したがって、Ｂｒｉｘ値２０％の場合のエキス抽出物の重量Ｘに２０／Ａを掛けることによって、Ｂｒｉｘ値Ａ％の場合に必要なエキス抽出物の重量Ｙが得られる。この考え方の基づいて計算した結果、Ｂｒｉｘ値がＡ％の場合、植物性タンパク質の重量に対するムラサキイガイエキス抽出物の重量は、少なくとも７．４／Ａ倍とすればよいが、７．４／Ａ〜２２／Ａ倍未満とすることが好ましく、７．４／Ａ〜１５／Ａ倍とすることがより好ましく、１１／Ａ〜１５／Ａ倍とすることがさらに好ましく、１５／Ａ倍とすることが特に好ましいことがわかった。
【００９９】
尚、実施例２においては、タンパク質効率、飼料効率及び日間摂餌率については、ムラサキイガイエキス抽出物の添加の有無による実験結果の差異が明確とはならず、ムラサキイガイエキス抽出物の添加による効果が明らかとはならなかった。しかしながら、ムラサキイガイエキス抽出物の配合によってタンパク質効率、飼料効率及び日間摂餌率が飼料区１よりも大幅に低下するような傾向は少なくとも見られなかった。このことから、ムラサキイガイエキス抽出物を配合した本発明の配合飼料の栄養性は、タンパク質源を全て魚粉としている配合飼料の栄養性と大きく相違するものではないことが明らかとなった。
【０１００】
次に、トラフグの血液成分を検査し、本発明の配合飼料がトラフグの健康状態に与える影響について調べた結果を表７及び表８に示す。表７は、血液のヘモグロビン含有量、ヘマトクリット値、総赤血球数、タンパク質含有量、トリグリセリド含有量及びグルコース含有量を調べた結果であり、表８は、血液の無機リン含有量、カルシウム含有量、マグネシウム含有量、塩素含有量及びカリウム含有量を調べた結果である。尚、実験結果は、網生けす中の全個体から血液を採取したもの網生けす毎にプールして検査し、その平均と標準偏差で示した。
【０１０１】
【表７】
2009232709.tif 000008
【０１０２】
【表８】
2009232709.tif 000009
【０１０３】
表７及び表８に示される結果から、飼料区２〜７において、飼料区１よりもトリグリセリド含有量が低下する傾向が見られたものの、トラフグの健康状態に悪影響を及ぼすレベルではなく、また、その他の成分については飼料区１〜７における実験結果に有意差は殆ど見られないことが明らかとなった。このことから、本発明の配合飼料である飼料区３，４，７，８の配合飼料よって、トラフグの健康状態に悪影響が及ぼされないことが明らかとなった。
【０１０４】
以上の実験結果から、本発明の配合飼料のトラフグに対する有効性が明らかとなった。また、トラフグ以外のフグ類について、本発明の配合飼料が有効でないとの積極的な理由が存在しないことから、フグ類全般について、本発明の配合飼料が有効であるものと推定される。